(57)【要約】【課題】被駆除体（ゴキブリなど）の排除処理の簡単化・効率化を図ることを目的とする。【解決手段】容器１３の殺虫剤で駆除したゴキブリなどを挟持するピンセット１１をキャップ１２に収納している。ゴキブリ挟持部分１１ａは、必ず収納域１２ｂに保持されて、収納域１２ｄに保持されることはないので衛生的である。ピンセット１１を取り出す場合は、拡大域１２ｃのそれぞれに指を入れてピンセットの二つの操作部分１１ｂをつかんで持ち上げる。ピンセット１１をキャップ１２に収納する場合は、操作部分１１ｂの双方を持って互いに押し込んで挟持部分１１ａ同士が当接する程度にしてから、ピンセットを凹状部１２ａに入れる。ピンセット形状に対応した溝部や、容器底部の外面側に開閉自在または着脱自在な態様で設けたカバー体の中に、ピンセットを収納する場合も開示する。【選択図】　　図１
2004049048.tif 000002
【特許請求の範囲】
【請求項１】
被駆除体の排除用道具を収納して保持する収納部を、駆除処理用の噴射剤を入れた容器に形成し、
前記収納部から前記道具を必要に応じて取り出せるようにした、
ことを特徴とする被駆除体排除用道具の保持機構。
【請求項２】
前記収納部を、前記容器の操作ボタン側のキャップに、凹状部の態様で形成した、
ことを特徴とする請求項１記載の被駆除体排除用道具の保持機構。
【請求項３】
前記収納部を、前記容器の外面部分に、前記排除用道具の形状に対応する溝状部の態様で形成した、
ことを特徴とする請求項１記載の被駆除体排除用道具の保持機構。
【請求項４】
前記収納部を、前記容器の底部分に、当該底部分に対する蓋体の態様で形成した、
ことを特徴とする請求項１記載の被駆除体排除用道具の保持機構。
【請求項５】
請求項１乃至４記載の被駆除体排除用道具の保持機構を備え、かつ、放出用ガスおよび内容物を収容したエアゾール式製品。
【発明の詳細な説明】
【０００１】
【発明の属する技術分野】
本発明は、被駆除体排除用道具の保持機構に関し、特にスプレーなどの殺虫用噴射剤で駆除した害虫，小動物などの個体（例えばゴキブリ，ハエの死骸）を捨てる際に用いる排除用道具（例えばピンセット，箸状物など）を、噴射剤を入れた容器に収納して保持するようにしたものである。
【０００２】
なお、本明細書の「容器」は、噴射剤を入れた容器本体だけではなくキャップやカバー体などの各種の補助・附属部分を含むものである
【０００３】
また、「被駆除体」には各種の生物が該当するが、以下の記載では、説明の便宜上、必要に応じてその一例としての「ゴキブリ」を用いる。
【０００４】
【従来の技術】
従来、スプレーなどを用いて駆除したゴキブリを捨てる際には、
・ちり紙や新聞紙などを持ってきてこれにゴキブリをくるんだり、
・ちり取りを持ってきてこれにゴキブリを入れたり、
・ビニール袋を持ってきてその中に作業者が手を入れた状態でゴキブリをつかんだり、
・掃除機を用意してこれでゴキブリを吸引したりしている。
【０００５】
【発明が解決しようとする課題】
このような被駆除体の排除手法では、任意の場所に不意に出てくるゴキブリなどを駆除した人はその後でちり紙，ちり取り，ビニール袋や掃除機などをわざわざ取りに行かなければならず、その排除処理に際しての利便性に欠けるという問題点があった。
【０００６】
そこで、本発明では、駆除用噴射剤を入れた容器やその附属物に被駆除体の排除手段（例えばピンセット）を収納・保持して、駆除処理済みの被駆除体（例えばゴキブリ）の排除処理の簡単化・効率化を図ることを目的とする。
【０００７】
【課題を解決するための手段】
本発明は、この課題を次のように解決する。
（１）被駆除体の排除用道具（例えば後述のピンセット１１，２１，３１）を収納して保持する収納部（例えば後述の凹状部１２ａ，溝部２２ａ，底カバー体４１，５１，６１）を、駆除処理用の噴射剤を入れた容器に形成し、前記収納部から前記道具を必要に応じて取り出せるようにする。
（２）上記（１）において、前記収納部を、前記容器の操作ボタン側のキャップ（例えば後述のキャップ１２）に、凹状部（例えば後述の凹状部１２ａ）の態様で形成する。
（３）上記（１）において、前記収納部を、前記容器の外面部分（例えば後述のカバー体２２の外面部分）に、前記排除用道具の形状に対応する溝状部（例えば後述の溝部２２ａ）の態様で形成する。
（４）上記（１）において、前記収納部を、前記容器の底部分（例えば後述の容器本体３３の下端側）に、当該底部分に対する蓋体（例えば後述の底カバー体４１，５１，６１）の態様で形成する。
【０００８】
本発明によれば、上記（１）のように、駆除処理用の噴射剤を入れた容器に被駆除体（駆除処理済みのゴキブリなど）の排除用道具の収納部を形成して、噴射剤容器の使用者が駆除処理済みの被駆除体を捨てようとする場合には当該収納部から排除用道具を取り出せるようにし、これによりゴキブリなどの駆除・排除処理の効率化を図り、噴射剤容器の利便性を高めている。
【０００９】
また、上記（２）のように、被駆除体の排除用道具の収納部を噴射剤容器の操作ボタン側のキャップに形成し、これにより被駆除体の駆除処理の際には（とりあえず不要である）排除用道具を噴射剤容器から外した状態として、噴射剤容器の使用者のいわば不快感（例えばすでに何度か使用済みの排除用道具をみながらの噴射処理に基づく不快感）を減らしている。
【００１０】
また、上記（３）のように、被駆除体の排除用道具の収納部をその形状に対応する溝状部の態様で噴射剤容器の外面部分に形成し、これにより当該排除用道具を容器に確実に収納・保持して、かつ、それを容器から簡単に取り出せるようにしている。
【００１１】
また、上記（４）のように、被駆除体の排除用道具の収納部を蓋体の態様で噴射剤容器の底部分に形成し、これにより被駆除体の少なくとも駆除処理を終えて排除処理に移行するまでの間、噴射剤容器の使用者が当該排除用道具を目にしないようにしている。特に、この排除用道具を使う意志のない容器使用者にとって、これを見ないですむことはきわめて有意なことである。
【００１２】
本発明は、以上の特徴を持つ駆除対象体排除用道具の保持機構を対象とするとともに、この保持機構を備えたエアゾール式製品も対象にしている。
【００１３】
【発明の実施の形態】
本発明の実施の形態を図１乃至図５を用いて説明する。
図１は、操作ボタン側のキャップにピンセット収納用の凹状部を設けた保持機構を示す説明図であり、
図２は、操作ボタン側のカバー体にピンセット収納用の溝部を設けた保持機構を示す説明図であり、
図３は、容器底部の外面側にピンセット収納用の底カバー体（その１）を設けた保持機構を示す説明図であり、
図４は、容器底部の外面側にピンセット収納用の底カバー体（その２）を設けた保持機構を示す説明図であり、
図５は、容器底部の外面側にピンセット収納用の底カバー体（その３）を設けた保持機構を示す説明図である。
【００１４】
図１，図３，図４および図５の（ａ）はピンセットを保持機構に収納した状態を示し、（ｂ）はピンセットを保持機構から取り出した状態を示している。また、図１〜図５の各保持機構を備えたエアゾール式製品における操作ボタンや噴射機構は任意のものでよい。
【００１５】
図１において、
１１はゴキブリ排除用の「Ｃ」の字状のピンセット，１１ａはゴキブリの挟持部分，１１ｂは使用者が手で持つ波状表面の操作部分，１１ｃは当該挟持部分とは反対側の変形作用部分，１１ｄは後述のように当該ピンセットの収納方向を一意にするためのリブ，
１２は後述の容器本体１３の噴射用の操作ボタン（図示省略）側に着脱自在な形で取り付けられたキャップ，１２ａはピンセット１１を収納するための凹状部，１２ｂは挟持部分１１ａの収納域，１２ｃは操作部分１１ｂに対応した拡大域，１２ｄは変形作用部分１１ｃおよびリブ１１ｄの収納域，
１３は内容物（噴射剤）を収納した容器本体，
をそれぞれ示している。収納域１２ｂの凹状部周方向の幅は二つのリブ１１ｄの間隔よりも短く設定してある。
【００１６】
なお、容器本体１３の内容物を噴射するには、キャップ１２を当該容器本体から外してから操作ボタン（図示省略）を押圧すればよい。
【００１７】
ここで、キャップ１２の凹状部１２ａにいわば固定的に保持されているピンセット１１を取り出す場合、利用者は、拡大域１２ｃのそれぞれに指を入れて当該ピンセットの二つの操作部分１１ｂをつかんで持ち上げればよい。
【００１８】
使用後（または出荷時など）にピンセット１１をキャップ１２に収納する場合、利用者や作業者は、ピンセット１１の操作部分１１ｂの双方を持って互いに押し込んで挟持部分１１ａ同士が当接する程度にしてから、当該ピンセットを凹状部１２ａに入れる。
【００１９】
このとき、挟持部分１１ａを収納域１２ｂに対応させ、変形作用部分１１ｃおよびリブ１１ｄを収納域１２ｄに対応させる必要がある。
【００２０】
この対応関係を逆にすると、リブ１１ｄ同士の間隔が収納域１２ｂの凹状部周方向の幅よりも長いので、変形作用部分１１ｃおよびリブ１１ｄが凹状部１２ａに入らない。
【００２１】
また、図示とは９０度ずらした位置関係のピンセット１１を凹状部１２ａに収納しようとしても、変形作用部分１１ｃおよびリブ１１ｄが同じ理由で拡大域１２ｃに入らない。
【００２２】
このように、キャップ１２の凹状部１２ａにピンセット１１を収納する場合、その挟持部分１１ａが幅狭の収納域１２ｂに一義的に収納されることになるので、使用者は衛生上も安心してピンセット１１を凹状部１２ａから取り出すことができる。
【００２３】
すなわち、凹状部１２ａからピンセット１１を取り出すために使用者が指を入れる拡大域１２ｃにゴキブリの挟持部分１１ａが収納されることはなく、使用者は安心して当該拡大域に指を入れ、ピンセット１１の二つの操作部分１１ｂをつかむことになる。
【００２４】
なお、（ａ）で示すように、自身の外側方向への弾性力に抗して変形した状態のピンセット１１は、その外周面の複数箇所が当該弾性力に基づきキャップ１２の凹状部１２ａの内周面に係止される。
【００２５】
そのため、ピンセット１１は凹状部１２ａにいわば固定的に保持されており、容器全体を上下逆にしても当該ピンセットがキャップ１２から外れるようなことはない。
【００２６】
キャップ１２（凹状部１２ａ）の上面部分に開閉自在または着脱自在な蓋を設け、ゴキブリの少なくとも駆除処理を終えて排除処理に移行するまでは容器使用者がピンセット１１を目にしないですむようにしてもよい。
【００２７】
図２において、
２１はゴキブリ排除用の「ハ」の字状のピンセット，２１ａはゴキブリの挟持部分，２１ｂは使用者の操作部分，２１ｃは当該挟持部分とは反対側の変形作用部分，
２２は後述の容器本体２４の上端側部分に嵌合したカバー体，２２ａはピンセット２１を収納するための「ハ」の字状の溝部，２２ｂは当該溝状部を形成する壁部分，２２ｃは当該溝部の底面部分，２２ｄは当該溝部が形成されていない開放空間域，２２ｅは内容物放出用の開口部，
２３はカバー体２２とは別体のものでその上面を押されて下動する内容物噴射用の操作ボタン，２３ａは内容物の放出口，
２４は内容物（噴射剤）を収納した容器本体，
をそれぞれ示している。
【００２８】
ここで、カバー体２２の溝部２２ａにいわば固定的に保持されているピンセット２１を取り出す場合、利用者は、開放空間域２２ｄに露出した状態の当該ピンセットの変形作用部分２１ｃを押し上げればよい。
【００２９】
なお、ピンセット２１が、その拡開側端部である挟持部分２１ａが開放空間域２２ｄに位置した状態で溝部２２ａに保持されることは、ピンセット２１および溝部２２ａの形状からみてあり得ない。そのため利用者は、ピンセット２１を取りはずす際にゴキブリ挟持部分を触るようなことはなく、当該ピンセットを衛生的に使用できる。
【００３０】
使用後（または出荷時など）にピンセット２１をカバー体２２の溝部２２ａに収納するには、当該ピンセットを上方から当該溝部に入れていき、例えばその底面部分２２ｃに当接させればよい。
【００３１】
ここで、ピンセット２１の挟持部分２１ａ同士をその初期状態（ピンセットに操作力を加えない基準状態）よりも近づけた形態でのみ当該ピンセットが溝部２２ａに入るようなピンセット・溝部の形状関係になっている場合には、ピンセット２１は外方向（拡開方向）への自らの復帰力で溝部２２ａの外側の内周面に強く当接して、カバー体２２に確実に保持される。なお、ピンセット２１の挟持部分２１ａ同士を近づける場合、利用者などはピンセット２１の操作部分２１ｂの双方を持って互いに押し込む。
【００３２】
一方、ピンセット２１が初期状態のままで溝部２２ａに入るようになっている両者の形状関係の場合には、ピンセット２１は溝部２２ａとの間の摩擦力によりカバー体２２に保持される。
【００３３】
図３〜図５において、
３１はゴキブリ排除用の「Ｃ」の字状のピンセット，３１ａはゴキブリの挟持部分，３１ｂは使用者が手で持つ波状表面の操作部分，３１ｃは当該挟持部分とは反対側の変形作用部分，３１ｄは移動阻止（固定保持）用のリブ，
３２はピンセット３１の挟持部分３１ａやリブ３１ｄをいわば固定的に保持するため後述の底カバー体（の固定部分）の底面部分の略半周にわたって設けた起立部，３２ａは収納済みピンセット３１のリブ３１ｄを係止して当該ピンセットがその取り出し方向に移動しないようにするための突状部，
３３は内容物（噴射剤）を収納した容器本体，３３ａは下端側の嵌合用の凹状部，３３ｂは当該凹状部の下側に続く突状部，３３ｃは底面外側の窪み状部，
をそれぞれ示している。
【００３４】
また、図３の場合、
４１は容器本体３３の下端側に嵌合してその半分が開閉可能な底カバー体，４１ａは当該容器本体の凹状部３３ａと嵌合する固定部分，４１ｂは当該固定部分の嵌合用の凸状部（嵌合相手：容器本体３３の凹状部３３ａ），４１ｃは開閉自在であって閉状態のときは当該凹状部３３ａと嵌合する回動式の可動部分，４１ｄは当該可動部分の嵌合用の凸状部（嵌合相手：容器本体３３の凹状部３３ａ），４１ｅは当該固定部分と当該可動部分とのいわばインタフェース作用を行なう薄肉部，４１ｆは当該可動部分を回動させるときの目印となる操作部，
をそれぞれ示している。
【００３５】
また、図４の場合、
５１は容器本体３３の下端側に嵌合してその下側部分の全体が開閉可能な底カバー体，５１ａは当該底カバー体の上側部分，５１ｂは当該上側部分の嵌合用の凸状部（嵌合相手：容器本体３３の凹状部３３ａ），５１ｃは容器本体３３の突状部３３ｂに対応した凹状部，５１ｄは当該凹状部に続く段部，５１ｅは当該段部の外周面に形成した後述の下側部分との嵌合用の凹状部，５１ｆは上側部分５１ａとヒンジ結合して開閉自在であって閉状態のときは凹状部５１ｅと嵌合する回動式の下側部分，５１ｇは当該下側部分の嵌合用の凸状部（嵌合相手：上側部分５１ａの凹状部５１ｅ），５１ｈは当該上側部分と当該下側部分とのヒンジ結合部，５１ｊは当該下側部分を回動させるときの目印となる操作部，
をそれぞれ示している。
【００３６】
また、図５の場合、
６１は取外し自在な形で容器本体３３の下端側に結合する底カバー体，６１ａは当該容器本体の下端側の凹状部３３ａと結合する膨出部，６１ｂは当該底カバー体を当該容器本体に対して着脱するときの目印となる操作部，
をそれぞれ示している。なお、容器本体３３と底カバー体６１とを螺子結合させてもよい。
【００３７】
ここで、図３乃至図５の（ａ）に示すように容器本体３３の下端側と嵌合し、または結合している底カバー体４１，５１，６１それぞれの底面部分および起立部３２（突状部３２ａ）に保持されたピンセット３１を取り出すには、次の作業をすればよい。
【００３８】
図３の底カバー体４１からピンセット３１を取り出す場合、
（１１）可動部分４１ｃの操作部４１ｆを押し下げて、当該可動部分の凸状部４１ｄと容器本体３３の凹状部３３ａとの嵌合状態を解除することにより、当該可動部分を開状態にし、
（１２）固定部分４１ａに保持されたままのピンセット３１の二つの操作部分３１ｂを指でつかんで内側に押圧して、二つのリブ３１ｄが当該固定部分の起立部３２の突状部３２ａの間を通り抜けることができるようにし、
（１３）この押圧状態のピンセット３１をそのまま当該固定部分から引き出す。
【００３９】
図４の底カバー体５１からピンセット３１を取り出す場合、
（２１）下側部分５１ｆの操作部５１ｊを押し下げて、当該下側部分の内面側の凸状部５１ｇと上側部分５１ａの外面側の凹状部５１ｅとの嵌合状態を解除することにより、当該下側部分を開状態にし、
（２２）この下側部分に保持されたままのピンセット３１の二つの操作部分３１ｂを指でつかんで内側に押圧して、二つのリブ３１ｄが当該固定部分の起立部３２の突状部３２ａの間を通り抜けることができるようにし、
（２３）この押圧状態のピンセット３１をそのまま当該下側部分から引き出す。
【００４０】
図５の底カバー体６１からピンセット３１を取り出す場合、
（３１）当該底カバー体の複数の操作部６１ｂを押し下げて、その膨出部６１ａと容器本体３３の凹状部３３ａとの結合状態を解除することにより、当該底カバー体を当該容器本体から取り外し、
（３２）この底カバー体に保持されたままのピンセット３１の二つの操作部分３１ｂを指でつかんで内側に押圧して、二つのリブ３１ｄと、起立部３２の突状部３２ａとの係止状態を解除し、
（３３）この押圧状態のピンセット３１をそのまま当該底カバー体から持ち上げる。なお、（３２）の係止解除の処理は必ずしも必要ではない。
【００４１】
使用後（または出荷時など）にピンセット３１を図３〜図５の底カバー体４１，５１，６１に収納するには、先ず、当該ピンセットの操作部分３１ｂの双方を押し込んで挟持部分３１ａ同士を初期状態（ピンセットに操作力を加えない基準状態）よりも近づける。
【００４２】
次に、この近づけた状態の挟持部分３１ａの側を、容器本体３３に対して開状態の底カバー体４１，５１または分離状態の底カバー体６１の底面部分の起立部３２の中に入れる。このとき、二つのリブ３１ｄがともに起立部３２の突状部３２ａよりも（図示のように）先に位置するようにする。
【００４３】
図３および図４の底カバー体４１，５１にピンセット３１を収納する場合、少なくともその二つのリブ３１ｄがともに起立部３２の突状部３２ａの間を通過することが必要であり、双方の挟持部分３１ａを互いに接触する程度に近づけるのが望ましい。
【００４４】
ピンセット３１を（図示のように）底カバー体４１，５１，６１の起立部３２の中に正しく入れた後でその作業者（使用者）が操作部分３１ｂから指を離すと、当該ピンセットは自らの弾性力で復帰して、リブ３１ｄが起立部３２の突状部３２ａに係止し、また挟持部分３１ａが起立部３２の周面に当接する。
【００４５】
この係止作用により、ピンセット３１は底カバー体４１，５１，６１に確実に保持される。
【００４６】
なお、ピンセット３１のリブ３１ｄは、その挟持部分３１ａと変形作用部分３１ｃとを結ぶ半円周上の中間点（１／２点）よりも当該挟持部分に近い位置に形成されている。
【００４７】
そのため、挟持部分３１ａと変形作用部分３１ｃとを図示とは逆の位置関係にし、かつ上述のように挟持部分３１ａを近接させた状態のピンセット３１を起立部３２の中に収納しようとしても、二つのリブ３１ｄがともに突状部３２ａの先の起立部３２の側に入りこむことはない。
【００４８】
使用者は、ピンセット３１を開状態の底カバー体４１，５１の起立部３２に入れて操作部分３１ｂから指を離した後で当該ピンセットをそこから軽く引き抜くことにより、当該ピンセットが正しく起立部３２の中に入っているかどうか、すなわちその二つのリブ３１ｄがともに突状部３２ａに係止されてかどうかを確認できる。
【００４９】
二つのリブ３１ｄがともに突状部３２ａに係止されていなければ、ピンセット３１は、その各操作部分３１ｂを上述のように内側に押圧しなくても、起立部３２の中から取り出されてしまう。ピンセット３１を図示よりも傾いた状態で起立部３２の中に入れて一つのリブ３１ｄのみが突状部３２ａに係止されるケースも同様である。なお、図５の底カバー体６１の場合には目視によって上記確認が可能である。
【００５０】
この確認作業もあいまって、ピンセット３１は、そのゴキブリ挟持部分３１ａが起立部３２の中に入り込んだ状態で、底カバー体４１，５１，６１のそれぞれに保持される。
【００５１】
図１〜図５のキャップ１２，カバー体２２および底カバー体４１，５１，６１は各種の合成樹脂製や金属製のものである。合成樹脂としては、ポリオキシメチレン（ポリアセタール），ポリプロピレン，ポリエチレンなどを用いる。
【００５２】
以上の実施の形態の説明では、一対の挟持部分３１ａが互いに開く方向への弾性を備えたピンセット３１を前提としているが、これとは逆方向の弾性を備えたピンセットなども本発明の適用対象となることは勿論である。
【００５３】
この場合のピンセットは、その一対の挟持部分が自らの弾性力に抗して強制的に広げられた拡開状態でキャップやカバー体（底カバー体）に収納される。
【００５４】
そのため、例えば、
・図１のキャップ１２には、この拡開状態の一対の挟持部分を個々に保持，係止するための収納域，係止部などを形成し、
・図２のカバー体２２には、この拡開状態のピンセット形状に対応した溝部を形成し、
・図３〜図５の底カバー体４１，５１，６１には、この拡開状態の一対の挟持部分を個々に保持，係止するための収納域，係止部などを形成する。
【００５５】
エアゾール式製品の内容物は、金属塩類粉末，無機物粉末や樹脂粉末などを用いる。例えば、タルク，カオリン，アルミニウムヒドロキシクロライド（アルミ塩），硫酸バリウム，セルロース，これらの混合物などである。また、紫外線吸収剤，油性原料，界面活性剤，保湿剤，高分子化合物，酸化防止剤，金属イオン封鎖剤なども用いる。
【００５６】
エアゾール式製品の放出用ガスには、ＬＰＧ，ジメチルエーテル，フルオロカーボン，炭酸ガス，窒素ガス，圧縮空気，酸素，希ガス，これらの混合ガスなどを用いる。
【００５７】
【発明の効果】
本発明では、このように、駆除処理用の噴射剤を入れた容器に被駆除体（駆除処理済みのゴキブリなど）の排除用道具の収納部を形成して、噴射剤容器の使用者が駆除処理済みの被駆除体を捨てようとする場合には当該収納部から排除用道具を取り出せるようにしているので、ゴキブリなどの駆除・排除処理の効率化を図り、噴射剤容器の利便性を高めることができる。
【００５８】
また、被駆除体の排除用道具の収納部を噴射剤容器の操作ボタン側のキャップに形成しているので、被駆除体の駆除処理の際には（とりあえず不要である）排除用道具を噴射剤容器から外した状態として、噴射剤容器の使用者のいわば不快感（例えばすでに何度か使用済みの排除用道具をみながらの噴射処理に基づく不快感）を減らすことができる。
【００５９】
また、被駆除体の排除用道具の収納部をその形状に対応する溝状部の態様で噴射剤容器の外面部分に形成しているので、排除用道具を容器に確実に収納・保持して、かつ、それを容器から簡単に取り出すことができる。
【００６０】
また、被駆除体の排除用道具の収納部を蓋体の態様で噴射剤容器の底部分に形成しているので、被駆除体の少なくとも駆除処理を終えて排除処理に移行するまでの間、容器使用者は排除用道具を目にしないようにすることができる。
【図面の簡単な説明】
【図１】
本発明の、操作ボタン側のキャップにピンセット収納用の凹状部を設けた保持機構を示す説明図であり、（ａ）はピンセットを保持機構に収納した状態を示し、（ｂ）はピンセットを保持機構から取り出した状態を示している。
【図２】
本発明の、操作ボタン側のカバー体にピンセット収納用の溝部を設けた保持機構を示す説明図である。
【図３】
本発明の、容器底部の外面側にピンセット収納用の底カバー体（その１）を設けた保持機構を示す説明図であり、（ａ）はピンセットを保持機構に収納した状態を示し、（ｂ）はピンセットを保持機構から取り出した状態を示している。
【図４】
本発明の、容器底部の外面側にピンセット収納用の底カバー体（その２）を設けた保持機構を示す説明図であり、（ａ）はピンセットを保持機構に収納した状態を示し、（ｂ）はピンセットを保持機構から取り出した状態を示している。
【図５】
本発明の、容器底部の外面側にピンセット収納用の底カバー体（その３）を設けた保持機構を示す説明図であり、（ａ）はピンセットを保持機構に収納した状態を示し、（ｂ）はピンセットを保持機構から取り出した状態を示している。
【符号の説明】
１１：「Ｃ」の字状のピンセット
１１ａ：ゴキブリ挟持部分
１１ｂ：波状表面の操作部分
１１ｃ：変形作用部分
１１ｄ：ピンセットの収納方向を一意にするためのリブ
１２：キャップ
１２ａ：ピンセットを収納するための凹状部
１２ｂ：挟持部分１１ａの収納域
１２ｃ：操作部分１１ｂに対応した拡大域
１２ｄ：変形作用部分１１ｃおよびリブ１１ｄの収納域
１３：容器本体
２１：「ハ」の字状のピンセット
２１ａ：ゴキブリ挟持部分
２１ｂ：操作部分
２１ｃ：変形作用部分，
２２：カバー体
２２ａ：ピンセット２１を収納するための「ハ」の字状の溝部
２２ｂ：壁部分
２２ｃ：溝部の底面部分
２２ｄ：溝部が形成されていない開放空間域
２２ｅ：内容物放出用の開口部
２３：内容物噴射用の操作ボタン
２３ａ：内容物の放出口
２４：容器本体
３１：「Ｃ」の字状のピンセット
３１ａ：ゴキブリ挟持部分
３１ｂ：波状表面の操作部分
３１ｃ：変形作用部分
３１ｄ：移動阻止（固定保持）用のリブ
３２：起立部
３２ａ：突状部
３３：容器本体
３３ａ：嵌合用の凹状部
３３ｂ：凹状部の下側に続く突状部
３３ｃ：底面外側の窪み状部
４１：半分が開閉可能な底カバー体
４１ａ：固定部分
４１ｂ：嵌合用の凸状部
４１ｃ：回動式の可動部分
４１ｄ：凸状部
４１ｅ：薄肉部
４１ｆ：操作部
５１：下側部分５１ｆの全体が開閉可能な底カバー体
５１ａ：上側部分
５１ｂ：嵌合用の凸状部
５１ｃ：突状部３３ｂに対応した凹状部
５１ｄ：段部
５１ｅ：嵌合用の凹状部
５１ｆ：上側部分５１ａとヒンジ結合して開閉自在な下側部分
５１ｇ：嵌合用の凸状部
５１ｈ：ヒンジ結合部
５１ｊ：操作部
６１：容器本体３３の下端側に結合する底カバー体
６１ａ：凹状部３３ａと結合する膨出部
６１ｂ：操作部
【図１】
2004049048.tif 000003
【図２】
2004049048.tif 000004
【図３】
2004049048.tif 000005
【図４】
2004049048.tif 000006
【図５】
2004049048.tif 000007